(57)【要約】【課題】組み立てが容易で、倒壊しにくいフェンスを提供する。【解決手段】フェンスは、一対の支柱１６，１８と、一対の支柱１６，１８を前後から挟む一対のパネル２０，２４と、一対のパネル２０，２４が前後方向に離れずに上下方向に可動となるように、一対のパネル２０，２４の間に装着された連結部材３０と、一対のパネルを下から支持するように、一対の支柱１６，１８の間に設けられた横桟３２を有する。横桟３２は両端に取付部材４２を備えている。一対の支柱１６，１８の対向面にガイド４４が設けられている。取付部材４２は、ガイド４４に上方から装着されている。【選択図】図７
0003219476.tif 000002
【実用新案登録請求の範囲】
【請求項１】
一対の支柱と、
前記一対の支柱の少なくとも一方を前後から挟む一対のパネルと、
前記一対のパネルが前後方向に離れずに上下方向に可動となるように、前記一対のパネルの間に装着された連結部材と、
前記一対のパネルを下から支持するように、前記一対の支柱の間に設けられた横桟と、
を有するフェンス。
【請求項２】
請求項１において、
前記横桟が、両端に一対の取付部材を備えており、
前記一対の支柱の対向面に、一対のガイドが設けられており、
前記一対の取付部材が、前記一対のガイドに上方から装着されているフェンス。
【請求項３】
請求項２において、
前記一対の取付部材が、前記一対の支柱の対向面に沿う板形状を備え、
前記一対のガイドが、前記取付部材の両端を覆うフェンス。
【請求項４】
請求項１から３のいずれかにおいて、
前記横桟の下に、上部に凹部を備える他の一対のパネルをさらに有し、
前記凹部に前記横桟が装着されているパネル。
【請求項５】
請求項１から４のいずれかにおいて、
前記一対のパネルが、前記一対の支柱を前後から挟み、
前記一対の支柱および前記一対のパネルの間に設けられた補強材と、
前記一対のパネルの少なくとも一方の表面に設けられ、前記補強材に固定された基台と、
をさらに有するフェンス。
【考案の詳細な説明】
【技術分野】
【０００１】
本考案は、組み立てが容易で、倒壊しにくいフェンスに関するものである。
【背景技術】
【０００２】
コンクリートブロックから作製されたフェンスがよく知られている。しかしながら、コンクリートブロック製フェンスは、大きな地震等によって倒壊したときに危険である。また、コンクリートブロックでフェンスを作製する場合、あらかじめ鉛直方向に設けられた鉄筋の上方にブロックを持ち上げてから、この鉄筋がブロックの穴を通るようにブロックを降ろし、これを繰り返して複数のブロックを下から積み上げていく。しかしながら、コンクリートブロックが重いので、鉛直方向の鉄筋の上方にブロックを移動するのは大変である。
【０００３】
そこで、コンクリートブロックと同じ形状で、コンクリートブロックより軽量な発泡スチロール製ブロックを使用すれば、フェンスを作製するときにブロックを持ち上げる労力が軽減される。しかし、依然として、鉛直方向の鉄筋の上方に発泡スチロール製ブロックを持ち上げる必要がある。また、発泡スチロール製ブロックの耐久性は、コンクリートブロックの耐久性より劣る。
【考案の概要】
【考案が解決しようとする課題】
【０００４】
本考案はこのような事情に鑑みてなされたものであり、組み立てが容易で、倒壊しにくいフェンスを提供することを目的とする。
【課題を解決するための手段】
【０００５】
本考案のフェンスは、一対の支柱と、前記一対の支柱の少なくとも一方を前後から挟む一対のパネルと、前記一対のパネルが前後方向に離れずに上下方向に可動となるように、前記一対のパネルの間に装着された連結部材と、前記一対のパネルを下から支持するように前記一対の支柱の間に設けられた横桟とを有する。
【考案の効果】
【０００６】
本考案によれば、組み立てが容易で、倒壊しにくいフェンスが得られる。
【図面の簡単な説明】
【０００７】
【図１】第一実施形態のフェンスの斜視図。
【図２】第一実施形態のフェンスの正面図。
【図３】第一実施形態のフェンスの水平断面図。
【図４】第一実施形態のフェンスの作製過程を示す斜視図。
【図５】第一実施形態のフェンスの作製過程を示す図で、（ａ）が斜視図、（ｂ）が支持部材を省略した上面図。
【図６】第一実施形態のフェンスの作製過程を示す図で、（ａ）が斜視図、（ｂ）が支持部材を省略した上面図。
【図７】第一実施形態のフェンスの作製過程を示す図で、（ａ）が斜視図、（ｂ）が右側の支柱付近の拡大上面図。
【図８】第一実施形態のフェンスの作製過程を示す斜視図。
【図９】第二実施形態のフェンスの作製過程を示す斜視図。
【図１０】第二実施形態のフェンスの作製過程を示す上面図。
【図１１】第二実施形態のフェンスの作製過程を示す斜視図。
【考案を実施するための形態】
【０００８】
以下、本考案のフェンスについて、図面を参照しながら各実施形態に基づいて説明する。図面は、フェンス、フェンスの構成部材、およびフェンスの周辺部材を模式的に表したものであり、これらの実物の寸法および寸法比は、図面上の寸法および寸法比と必ずしも一致しない。重複説明は適宜省略し、同一部材には同一符号を付与することがある。また、特にことわらない限り、説明の便宜上、図２に示すフェンスの向きを基準に、前後左右上下を規定する。
【０００９】
図１は、本考案の第一実施形態に係るフェンス１０を示している。図２は、フェンス１０の前面を示している。フェンス１０の後面も図２のように現れる。図３は、図２のフェンス１０のＡ−Ａ線の断面を示している。フェンス１０は、支柱１２，１４，１６，１８と、パネル２０，２２，２４，２６と、支持部材２８と、連結部材３０と、横桟３２と、支柱カバー３４と、笠木３６を備えている。
【００１０】
支柱１２，１４，１６，１８は、水平断面が正方形の筒状の金属製部材であるが、形状や材質等は特に制限がない。支柱１２と支柱１４、支柱１４と支柱１６、および支柱１６と支柱１８が対となっている。つまり、フェンス１０は、例えば一対の支柱１４，１６を備えている。視点を変えると、フェンス１０は、一対の支柱１２，１４も備えているし、一対の支柱１４，１６も備えている。支柱１２，１４，１６，１８は、コンクリート等の基礎や地中に下部が埋められた状態で、鉛直方向に設置されている。
【００１１】
パネル２０，２２，２４，２６は主に発泡樹脂から構成されている。このため、パネル２０，２２，２４，２６が軽量となり、フェンス１０の組み立て時のパネルの運搬や設置の労力が軽減される。前方の大きなパネル２０と後方の大きなパネル２４、および前方の小さなパネル２２と後方の小さなパネル２６が、対となっている。つまり、フェンス１０は、例えば一対のパネル２０，２４を備えている。視点を変えると、フェンス１０は一対のパネル２２，２６も備えている。なお、本発明のフェンスは、全て同じ大きさのパネルを備えていてもよい。
【００１２】
図２および図３に示すように、下から三段目の中央のパネル２０，２４は、支柱１４，１６を前後から挟んでいる。パネル２０，２４が支柱１４，１６の前後を挟んでいるため、支柱１４，１６の上にパネル２０，２４を持ち上げて、支柱１４，１６の上からパネル２０，２４を装着する必要がなく、フェンス１０が容易に組み立てられる。なお、下から二段目のパネル２０，２４およびパネル２２，２６のように、一対のパネルが一対の支柱の一方を前後から挟んでいてもよい。つまり、図２に示すように、下から二段目のパネル２０，２４は支柱１４または支柱１６を前後から挟んでおり、下から二段目のパネル２２，２６は、支柱１２または支柱１８を前後から挟んでいる。下から四段目および六段目のパネル２０，２４およびパネル２２，２６も同様である。
【００１３】
図４は、フェンス１０の作製過程を示している。支持部材２８は、一対の支柱の間、すなわち支柱１２，１４の間、支柱１４，１６の間、および支柱１６，１８の間であって、基礎上面付近や地面付近に設けられている。支持部材２８は金属製で、前面および後面の上方に、突出線部２８ａ，２８ｂをそれぞれ備えている。支持部材２８は、一対のパネル２０，２４を下から支持している。具体的には、支持部材２８の前方の突出線部２８ａにパネル２０の底面の凹部が装着され、後方の突出線部２８ｂにパネル２４の底面の凹部が装着される。このため、フェンス１０を組み立てるときに、パネル２０，２４を所定の位置に容易に設置できる。
【００１４】
連結部材３０は、主に発泡樹脂から構成され、一対のパネル、例えばパネル２０，２４の間に装着されている。具体的には、図３に示すように、パネル２０の背面に繰り返し形成された第一突出部２０ａおよび第二突出部２０ｂと、パネル２４の背面に繰り返し形成された第一突出部２４ａおよび第二突出部２４ｂとで形成される空間に、連結部材３０が装着されている。パネル２０，２４は、連結部材３０によって、前後方向に離れずに上下方向に可動となっている。図３に示すように、連結部材３０は、上面と下面がひょうたんのような形状を備える柱状部材である。連結部材３０の形状や材質は、一対のパネルが前後方向に離れずに上下方向に可動となれば特に制限がない。連結部材３０は、一体物であってもよいし、本実施形態のように複数の部材から構成されていてもよい。
【００１５】
図３に示すように、パネル２０，２４は、表面に被覆層２０ｃ，２４ｃをそれぞれ備えている。被覆層２０ｃ，２４ｃは樹脂を含有する板状部材である。この樹脂の性質、例えば防水性や耐火性等は、フェンス１０の設置場所等に応じて選択すればよい。被覆層２０ｃ，２４ｃは、パネル２０，２４の本体の表面に溶着や接着等で固定されている。被覆層２０ｃ，２４ｃは塗装層であってもよい。また、フェンス１０を組み立ててから、パネル２０，２２，２４，２６の表面を塗装して、被覆層を設けてもよい。
【００１６】
横桟３２は、一対のパネル、例えばパネル２０，２４を下から支持するように、一対の支柱、例えば支柱１４，１６の間に設けられている。本実施形態では、横桟３２は、支柱１２，１４の間および支柱１６，１８の間にも設けられている。例として、横桟３２を支柱１６，１８の間に固定する方法を後述する。また、本実施形態では、例えば下から一段目のパネル２０，２４と下から二段目のパネル２０，２２，２４，２６の間のように、各段のパネルの間の全てに横桟３２が設けられている。このため、一対の支柱１２，１４、支柱１４，１６、および支柱１６，１８が横桟３２で補強され、フェンス１０が倒壊しにくい。
【００１７】
また、上段、例えば下から二段目のパネル２０，２２，２４，２６の荷重が、下段、例えば下から一段目のパネル２０，２４だけでなく、横桟３２にもかかるので、下段のパネルの負荷が軽減し、フェンス１０の耐久性が向上する。なお、横桟３２は、全ての支柱の間に設けられている必要がない。また、横桟３２は、各段のパネルの間の全てに設けられている必要がない。例えば、各段のパネルの間の一つ置きに横桟３２が設けられていてもよい。なお、一つの横桟３２が、一対のパネルだけでなく、二対以上のパネルを支持してもよい。例えば、下から一段目のパネル２０，２４の上で、支柱１２，１４の間にある横桟３２は、一対のパネル２２，２６と一対のパネル２０，２４を支持している。
【００１８】
図４から図８は、フェンス１０の作製過程を示している。フェンス１０は、例えば以下のようにして作製される。まず、図４に示すように、隣り合う支柱、例えば支柱１６，１８の間に支持部材２８を取り付ける。具体的には、支柱１６，１８の対向面に鉛直断面Ｌ字形状を備える支持部材取付具３８，３８を取り付け、支持部材取付具３８，３８の水平部に支持部材２８の両端を差し込んで、支持部材取付具３８，３８の水平部と支持部材２８の両端の水平部をネジ止めする。
【００１９】
つぎに、図５（ａ）に示すように、連結部材３０が装着されたパネル２０を前方から支柱１６，１８に接触させ、図５（ｂ）に示すように支持部材（不図示）に載せる。つぎに、図６（ａ）に示すように、パネル２４をパネル２０の上方で後方から支柱１６，１８に接触させた後、パネル２４を下方に移動して、図６（ｂ）に示すように、連結部材３０を介して、パネル２４をパネル２０と連結する。こうして、支柱１６，１８は、パネル２０，２４で前後から挟まれる。これを繰り返して、下から一段目の三対のパネル２０，２４を設置する。
【００２０】
つぎに、図７（ａ）に示すように、下から一段目のパネル２０，２４の上部に形成されている凹部４０に横桟３２を上から装着する。なお、横桟３２は、両端に一対の取付部材４２，４２を備えている（左端の取付部材４２は不図示）。また、支柱１６，１８の対向面には、一対のガイド４４，４４が設けられている（支柱１６に設けられたガイド４４は不図示）。
【００２１】
そして、一対の取付部材４２，４２は、一対のガイド４４，４４に上方から装着されている。一対の取付部材４２，４２は、支柱１６，１８の対向面に沿う板形状を備えている。図７（ｂ）に示すように、一対のガイド４４，４４は、水平断面Ｃ字形状を備え、取付部材４２，４２の両端を覆っている。このため、支柱１６，１８の間に横桟３２を設置しやすく、設置した横桟３２が支柱１６，１８から外れにくい。これを繰り返して、下から一段目のパネル２０，２４の上に横桟３２を設置する。
【００２２】
つぎに、図８に示すように、横桟３２の上に、下から二段目のパネル２０，２２，２４，２６を設置する。具体的には以下の手順で行う。まず、横桟３２より上で、連結部材３０が装着されたパネル２６の端部を後方から支柱１８に接触させ、下方にパネル２６を移動して、横桟３２および下から一段目のパネル２４の上に設置する。つぎに、下から二段目のパネル２６より上で、前方から支柱１８にパネル２２の端部を接触させ、下方にパネル２２を移動して、下から二段目のパネル２６に装着された連結部材３０にパネル２２を上からはめ込み、さらに下方にパネル２２を移動して、横桟３２および下から一段目のパネル２０の上に設置する。
【００２３】
そして、支柱１６の左右両側にある横桟３２より上で、連結部材３０が装着されたパネル２４の中央部を後方から支柱１６に接触させ、下方にパネル２４を移動して、支柱１６の左右両側にある横桟３２および下から一段目の２つのパネル２４，２４の上に設置する。つぎに、図８に示すように、下から二段目のパネル２４より上で、前方から支柱１６にパネル２０の中央部を接触させ、下方にパネル２０を移動して、下から二段目のパネル２４に装着された連結部材３０にパネル２０を上からはめ込み、さらに下方にパネル２０を移動して、支柱１６の左右両側にある横桟３２および下から一段目の２つのパネル２０，２０の上に設置する。
【００２４】
これを繰り返して、パネル２０，２２，２４，２６を六段に積み上げる。最上段のパネル２０，２２，２４，２６の上には、最上段用の横桟を装着する（不図示）。そして、最上段用の横桟の上に笠木受けを取り付け（不図示）、図１および図２に示すように、笠木受けの上に笠木３６を取り付ける。笠木３６は、例えばアルミ製で、パネル２０，２２，２４，２６の上を前後方向から締め付けて、支柱１２，１４，１６，１８からパネル２０，２２，２４，２６が外れるのを抑止する。また、笠木３６によって、フェンス１０の見栄えがよくなる。なお、パネル２０，２２，２４，２６と同様に、笠木３６を主に発泡樹脂から構成し、最上段のパネル２０，２２，２４，２６の上面に笠木３６を接着してもよい。
【００２５】
つぎに、図１および図２に示すように、支柱１２，１８に支柱カバー３４，３４を取り付ける。支柱カバー３４は、例えばアルミ製で、パネル２０，２２，２４，２６の側部を前後方向から締め付けて、支柱１２，１８からパネル２０，２２，２４，２６が外れるのを抑止する。また、支柱カバー３４によって、フェンス１０の見栄えがよくなる。最上段用の横桟、笠木受け、笠木３６、および支柱カバー３４は、例えば所定の箇所にネジ止めされている。なお、パネル２０，２２，２４，２６と同様に、支柱カバー３４を主に発泡樹脂から構成し、パネル２０，２２，２４，２６の左右の両端面に支柱カバー３４を接着してもよい。
【００２６】
図９から図１１は、本発明の第二実施形態に係るフェンス５０の作製過程を示している。フェンス５０は、ポスト５２と、ポスト５２を支持する部材を備えている点で、フェンス１０と相違する。フェンス５０を構成するパネル５４，５６の主成分が発泡樹脂であるため、ポスト５２がパネル５４，５６にそのまま取り付けられない。そこで、フェンス５０は、ポスト５２を設置するための特別な構造を備えている。この構造以外は、フェンス１０とフェンス５０は同様である。
【００２７】
フェンス５０の作製過程を説明する。まず、図９に示すように、ポスト５２を取り付けたいパネル５４の後方を補強するための補強材５７，５７を、横桟３２に取り付ける。具体的には、横桟３２の上にＬ字状金具である補強材取付金具５８，５８を固定する。つぎに、補強材取付金具５８，５８に補強材５７，５７を固定する。補強材５７は、水平断面が正方形の筒状の金属製部材である。本実施形態では、補強材５７の水平断面の外形は、支柱５９，６０の水平断面の外形と同じである。このため、パネル５４，５６の間に形成される空間に、補強材または支柱を必要に応じて設置できる。
【００２８】
補強材５７の長さはパネル５４，５６の高さとほぼ同じである。そして、支柱５９，６０と補強材５７，５７を前後から挟むように、パネル５４，５６を設置する。パネル５４，５６の設置は、フェンス１０の作製方法と同様に行う。こうして、一対のパネル５４，５６は、一対の支柱５９，６０を前後から挟み、補強材５７，５７は、一対の支柱５９，６０および一対のパネル５４，５６の間に設けられる。
【００２９】
つぎに、図１０に示すように、基台６２は、一対のパネル５４，５６の少なくとも一方のパネル５４の表面に設けられ、補強材５７，５７に固定されている。基台６２は、ポスト５２を取り付けるための金属製の板状部材である。基台６２は、パネル５４を介して、補強材５７，５７にネジ止めされている。そして、図１１に示すように、ポスト５２を基台６２にネジ止めする。こうして、ポスト５２を備えるフェンス５０が得られる。補強材５７，５７や基台６２によって、ポスト５２がパネル５４から落下するのを抑止できる。
【符号の説明】
【００３０】
１０    フェンス
１２，１４，１６，１８    支柱
２０，２２，２４，２６    パネル
２０ａ  第一突出部
２０ｂ  第二突出部
２０ｃ  被覆層
２４ａ  第一突出部
２４ｂ  第二突出部
２４ｃ  被覆層
２８    支持部材
２８ａ，２８ｂ  突出線部
３０    連結部材
３２    横桟
３４    支柱カバー
３６    笠木
３８    連結部材取付具
４０    凹部
４２    取付部材
４４    ガイド
５０    フェンス
５２    ポスト
５４，５６    パネル
５７    補強材
５８    補強材取付金具
５９，６０    支柱
６２    基台
【図１】
0003219476.tif 000003
【図２】
0003219476.tif 000004
【図３】
0003219476.tif 000005
【図４】
0003219476.tif 000006
【図５】
0003219476.tif 000007
【図６】
0003219476.tif 000008
【図７】
0003219476.tif 000009
【図８】
0003219476.tif 000010
【図９】
0003219476.tif 000011
【図１０】
0003219476.tif 000012
【図１１】
0003219476.tif 000013